(57)【要約】【課題】生体組織の非管腔領域へ挿通されて物質を生体組織内へ送達するカテーテルを、生体組織への負荷を極力抑えつつ目的部位へ高精度に到達させることができるとともに、構造を極力簡略化できる医療用器具を提供する。【解決手段】生体組織の非管腔領域へ挿通させて物質を生体組織内へ送達するための医療用器具１であって、前記物質を生体組織内へ送達するための送達ルーメン４１、および先端側が閉鎖された先端閉鎖ルーメン４２が形成されたカテーテル１０と、前記先端閉鎖ルーメン４２の基端側から挿通可能な長尺なスタイレット本体部２１と、を有し、前記先端閉鎖ルーメン４２の第２基端側開口部４４が、前記送達ルーメン４１の第１基端側開口部５３よりも先端側に位置している。【選択図】図１
2015015988.tif 000002
【特許請求の範囲】
【請求項１】
生体組織の非管腔領域へ挿通させて物質を生体組織内へ送達するための医療用器具であって、
前記物質を生体組織内へ送達するための送達ルーメン、および先端側が閉鎖された先端閉鎖ルーメンが形成されたカテーテルと、
前記先端閉鎖ルーメンの基端側から挿通可能な長尺な芯材部と、を有し、
前記先端閉鎖ルーメンの基端側開口部が、前記送達ルーメンの基端側開口部よりも先端側に位置する医療用器具。
【請求項２】
前記芯材部は、前記先端閉鎖ルーメンに先端側まで挿通された状態において、その基端部が前記送達ルーメンの基端側開口部よりも先端側に位置する請求項１に記載の医療用器具。
【請求項３】
前記送達ルーメンの先端側開口部に、フィルターが設けられる請求項１または２に記載の医療用器具。
【請求項４】
前記フィルターは、前記カテーテルの先端から先端方向へ０．５〜２ｍｍ突出するように設けられる請求項３に記載の医療用器具。
【請求項５】
前記フィルターの先端部は、前記カテーテルの中心軸を中心とする回転対称形状である請求項３または４に記載の医療用器具。
【請求項６】
前記フィルターは、樹脂製である請求項３〜５のいずれか１項に記載の医療用器具。
【請求項７】
前記フィルターは、セラミック製である請求項３〜５のいずれか１項に記載の医療用器具。
【請求項８】
前記カテーテルは、先端部の外径が、前記送達ルーメンおよび先端閉鎖ルーメンの両方が形成される部位の外径よりも小さい請求項１〜７のいずれか１項に記載の医療用器具。
【請求項９】
前記カテーテルの先端部と、前記送達ルーメンおよび先端閉鎖ルーメンの両方が形成される部位との間に、外径が先端側へ向かって漸次的に減少するテーパー部を有する請求項８に記載の医療用器具。
【請求項１０】
前記芯材部の基端に芯材用ハブ部が設けられ、当該芯材用ハブ部が、前記送達ルーメンの基端側開口部が形成される送達用ハブ部に連結せずに当該送達用ハブ部から独立した構造を有する請求項１〜９のいずれか１項に記載の医療用器具。
【請求項１１】
前記芯材部は、非磁性体で形成される請求項１〜１０のいずれか１項に記載の医療用器具。
【請求項１２】
前記カテーテルは、腫瘍への物質の対流増加送達に用いられる請求項１〜１１のいずれか１項に記載の医療用器具。
【請求項１３】
前記カテーテルは、脳への物質の対流増加送達に用いられる請求項１〜１２のいずれか１項に記載の医療用器具。
【発明の詳細な説明】
【技術分野】
【０００１】
本発明は、生体組織内への物質の持続的な送達、特に脳実質内への治療用物質の対流増加送達に用いられる医療用器具に関するものである。
【背景技術】
【０００２】
近年、悪性神経膠腫（膠芽腫、退形成星性細胞腫等）に対しては、手術療法、放射線療法に加え、化学療法、免疫療法、遺伝子治療、分子標的療法等の各種治療法が試みられており、神経膠腫を含む悪性脳腫瘍の治療成績は改善している。しかし、最も悪性度の高い膠芽腫では、５年生存率が約７％と低く、いまだあらゆる癌の中で最も予後不良である（非特許文献１を参照）。
【０００３】
悪性神経膠芽腫に対する治療の基本は、外科手術による腫瘍の可及的切除である。しかし、脳は部位によりさまざまな機能を果たしているため、腫瘍を十分に切除できない場合が多い。特に、悪性神経膠芽腫では、腫瘍細胞が周辺脳組織へ浸潤していることから、組織レベルでの全摘出は不可能である。そのため、悪性神経膠芽腫の治療成績改善には、術後補助療法として放射線療法や化学療法などが不可欠である。
【０００４】
悪性神経膠腫に対する化学療法は、その有用性が立証されているにもかかわらず、治療効果はいまだ十分とはいえない。脳腫瘍では、治療薬剤を静脈内投与するにあたり、治療薬剤を血液脳関門（Ｂｌｏｏｄ  Ｂｒａｉｎ  Ｂａｒｒｉｅｒ：ＢＢＢ）を介して透過させるため、透過性という固有の問題があり、適用可能な薬剤が限られている。さらに、ＢＢＢの透過性が得られたとしても、薬剤による全身への副作用に対する懸念から、薬剤投与量が制限され、腫瘍部位において有効な薬剤濃度を確保することができない。
【０００５】
上記のような悪性神経膠腫に対する化学療法の課題を克服するための新たな薬剤投与法として、対流増加送達（Ｃｏｎｖｅｃｔｉｏｎ−Ｅｎｈａｎｃｅｄ  Ｄｅｌｉｖｅｒｙ：ＣＥＤ）法が考案されている（例えば、特許文献１を参照）。ＣＥＤ法とは、脳実質内に定位的に留置したカテーテルから微量注入ポンプを用いて薬剤を能動的に注入する局所化学療法である。従来の中枢神経系への局所投与技術では、腫瘍摘出腔への腔内投与であれ、脳内留置型の局所化学療法であれ、薬剤の分布は物質の拡散に依存していた。物質の拡散は、濃度勾配や組織性状によって規定され、拡散性の良い低分子化合物であっても、毛細血管への吸収や代謝によりその範囲は数ｍｍに留まると考えられている。これは、悪性神経膠腫の再発の８０〜９０％が初発病巣から２ｃｍ以内の部位に起こることに対し不十分である（非特許文献２を参照）。一方、ＣＥＤ法では、注入中の圧勾配を維持して脳質間にバルクフロー（ｂｕｌｋ  ｆｌｏｗ）を誘導し注入物質の拡散を強化する。従って、従来の局所投与法と比較して薬剤をより均質に高濃度で広い範囲に分布させることができる。また、薬剤の脳内分布は注入量と注入速度により制御可能であり、静脈からの全身投与と比較して投与量を少なくすることも可能なため、全身の副作用を問題のないレベルに抑えることが可能である。ＣＥＤ法により投与可能な薬剤は多岐にわたり、これまでに様々な薬剤の投与がラット脳腫瘍移植モデルにおいて試みられ、その有効性が報告されている。このような利点から、ＣＥＤ法は、脳腫瘍のみならず、パーキンソン病、アルツハイマー病やてんかんの治療法として期待されている。
【０００６】
しかし、ＣＥＤ法を広く臨床応用するには、いくつかの課題が残されている。そのひとつは、脳内（脳実質内）に留置したカテーテルの外面に沿って起こる薬剤の逆流である。カテーテルに沿った逆流は、カテーテル先端部の径が太く、また投与速度が速いほど起こりやすい。そのため、ＣＥＤ法におけるカテーテルの径は細く、薬剤の注入速度は０．５〜１０μｌ／分と非常に低速である。従って、治療有効量とするためには長時間の投与にならざるを得ず、場合によっては数日かけての注入が必要となる。この間、患者の自由を長期間にわたり制限するだけでなく、患者の体動によってカテーテルの先端位置にずれが生じたり、カテーテルが抜けたりするなどの危険を生じる。これらは、不必要な部位への投薬による副作用や、脳組織の損傷、感染症等の合併症の原因となるので、好ましくない（非特許文献３を参照）。また、ＣＥＤ法において、薬剤が逆流して脳表、脳溝、摘出腔などに一度漏出してしまうと、圧勾配の維持が困難となり、それ以上の拡散が望めなくなる。従って、より正確で安全かつ効果的なＣＥＤ法の実現のために、薬剤の逆流を防止することのできるカテーテルを提供することが望まれている。
【０００７】
薬剤の逆流を防止するカテーテルとして、特許文献１では、末端付近に外径が段階的に小さくなる段構造を有するカテーテルと薬剤送達システムが開示されている。この技術では、実質的に一定な内径を有する管に外径が基端側から末端側にかけて減少するように配置された多段の段構造を設けることで、薬剤の逆流を防止する。
【先行技術文献】
【特許文献】
【０００８】
【特許文献１】特表２００９−５０７５３１号公報
【非特許文献】
【０００９】
【非特許文献１】Ｔｈｅ  Ｃｏｍｍｉｔｔｅｅ  ｏｆ  Ｂｒａｉｎ  Ｔｕｍｏｒ  Ｒｅｇｉｓｔｒｙ  ｏｆ  Ｊａｐａｎ：  Ｒｅｐｏｒｔ  ｏｆ  ｂｒａｉｎ  ｔｕｍｏｒ  ｒｅｇｉｓｔｒｙ  ｏｆ  Ｊａｐａｎ  （１９８４−２０００）  １２ｔｈ  ｅｄｉｔｉｏｎ．  Ｎｅｕｒｏ  Ｍｅｄ  Ｃｈｉｒ  ４９  Ｓｕｐｐｌ：  １−１０１，  ２００３．
【非特許文献２】Ｈｏｃｈｂｅｒｇ  ＦＨ．  ａｎｄ  Ｐｒｕｉｔｔ  Ａ：  Ａｓｓｕｍｐｔｉｏｎｓ  ｉｎ  ｔｈｅ  ｒａｄｉｏｔｈｅｒａｐｙ  ｏｆ  ｇｌｉｏｂｌａｓｔｏｍａ．  Ｎｅｕｒｏｌｏｇｙ  ３０：  ９０７−９１１，  １９８０．
【非特許文献３】Ｌｉｄａｒ  Ｚ，  Ｍａｒｄｏｒ  Ｙ，  ｅｔ  ａｌ：  Ｃｏｎｖｅｃｔｉｏｎ−ｅｎｈａｎｃｅｄ  ｄｅｌｉｖｅｒｙ  ｏｆ  ｐａｃｌｉｔａｘｅｌ  ｆｏｒ  ｔｈｅ  ｔｒｅａｔｍｅｎｔ  ｏｆ  ｒｅｃｕｒｒｅｎｔ  ｍａｌｉｇｎａｎｔ  ｇｌｉｏｍａ：  ａ  Ｐｈａｓｅ  Ｉ／ＩＩ  ｃｌｉｎｉｃａｌ  ｓｔｕｄｙ．  Ｊ  Ｎｅｕｒｏｓｕｒｇ．  １００：  ４７２−４７９，  ２００４．
【発明の概要】
【発明が解決しようとする課題】
【００１０】
特許文献１に記載のカテーテルは、脳組織の損傷およびカテーテルに沿った逆流を抑制するために、外径が細く形成されているため、曲がりやすく、目的の部位へ正確に挿通させることが容易ではない。
【００１１】
本発明は上述した課題を解決するものであり、生体組織の非管腔領域へ挿通されて物質を生体組織内へ送達するカテーテルを、生体組織への負荷を極力抑えて目的部位へ高精度に到達させることができるとともに、構造を極力簡略化できる医療用器具を提供することを目的とする。
【課題を解決するための手段】
【００１２】
上記目的を達成する本発明に係る医療用器具は、生体組織の非管腔領域へ挿通させて物質を生体組織内へ送達するための医療用器具であって、前記物質を生体組織内へ送達するための送達ルーメンおよび先端側が閉鎖された先端閉鎖ルーメンが形成されたカテーテルと、前記先端閉鎖ルーメンの基端側から挿通可能な長尺な芯材部と、を有し、前記先端閉鎖ルーメンの基端側開口部が、前記送達ルーメンの基端側開口部よりも先端側に位置している。
【発明の効果】
【００１３】
上記のように構成した医療用器具は、先端閉鎖ルーメンに挿通される芯材部によってカテーテルに剛性を付与することができ、カテーテルを目的部位へ高精度に到達させることが可能となる。また、先端閉鎖ルーメンは、先端が閉鎖されているため、生体組織内への空気の混入を防止でき、かつ先端閉鎖ルーメンから芯材部を抜去しても、生体内の組織液が先端閉鎖ルーメン内へ流入せず、生体組織への負荷を極力抑えることができる。また、先端閉鎖ルーメンの基端側開口部が、送達ルーメンの基端側開口部よりも先端側に位置しているため、送達ルーメンの基端側開口部が形成されるカテーテルの基端部に、送達ルーメンおよび先端閉鎖ルーメンを分離するための構造を設ける必要がなく、構造を極力簡略化できる。さらに、芯材部を先端閉鎖ルーメンから抜去した後、先端閉鎖ルーメン内の空気によるＭＲＩ画像のハレーションを抑制するために先端閉鎖ルーメン内に生理食塩水等を注入する場合に、先端閉鎖ルーメンが送達ルーメンよりも短いため、注入する生理食塩水等の量が少量で済み、より簡便な操作で注入を行うことができる。また、先端閉鎖ルーメンが短くなることで、生理食塩水等を注入する際に、針が必要以上に長くない汎用の注射針等を適用可能となり、構成が容易となるとともに、操作性が向上する。
【００１４】
前記芯材部が、前記先端閉鎖ルーメンに先端側まで挿通された状態において、その基端部が前記送達ルーメンの基端側開口部よりも先端側に位置するようにすれば、芯材部が送達ルーメンの基端部まで延びることなく極力短くできるため、芯材部の構成を簡略化し、かつ芯材部をより高精度に制御して、カテーテルを目的の位置までより高精度に到達させることができる。
【００１５】
前記送達ルーメンの先端側開口部に、フィルターが設けられるようにすれば、カテーテルを生体組織に挿通させる際に、生体組織が送達ルーメン内に侵入することを抑制できるため、生体組織への負荷を極力抑えることができるとともに、送達ルーメンの目詰まりが抑制されて物質の送達を良好に維持できる。
【００１６】
前記フィルターが、前記カテーテルの先端から先端方向へ０．５〜２ｍｍ突出するように設けられるようにすれば、フィルターを通った物質を、フィルターから放射方向へ均等に放出することができる。
【００１７】
前記フィルターの先端部は、前記カテーテルの中心軸を中心とする回転対称形状であるようにすれば、カテーテルを生体組織へ挿通させる際に生体組織の損傷を低減させることができ、かつ生体組織内にカテーテルをよりまっすぐ挿通させることができる。さらに、フィルターを通った物質を、フィルターから放射方向へ均等に放出することができる。
【００１８】
前記フィルターが、樹脂製であるようにすれば、フィルターによるハレーションを生じさせずにＭＲＩによる撮像を行うことができる。
【００１９】
前記フィルターが、セラミック製であるようにすれば、フィルターによるハレーションを生じさせずにＭＲＩによる撮像を行うことができる。
【００２０】
前記カテーテルは、先端部の外径が、前記送達ルーメンおよび先端閉鎖ルーメンの両方が形成される部位の外径よりも小さいようにすれば、カテーテルの外径が変化する部位によって、物質のカテーテルの外面に沿う逆流を抑制できる。
【００２１】
前記カテーテルは、先端部と、前記送達ルーメンおよび先端閉鎖ルーメンの両方が形成される部位との間に、外径が先端側へ向かって漸次的に減少するテーパー部を有するようにすれば、生体組織の損傷を極力抑えつつ押し広げるようにカテーテルを挿通させることが可能となるとともに、テーパー部によって、物質のカテーテルの外面に沿う逆流を抑制できる。
【００２２】
前記芯材部の基端に芯材用ハブ部が設けられ、当該芯材用ハブ部が、前記送達ルーメンの基端側開口部が形成される送達用ハブ部に連結せずに当該送達用ハブ部から独立した構造を有するようにすれば、芯材用ハブ部および送達用ハブ部を互いに干渉させずに操作でき、操作性が向上するとともに、互いに連結されないために芯材用ハブ部および送達用ハブ部の構造を極力簡略化できる。
【００２３】
前記芯材部が、非磁性体で形成されるようにすれば、ＭＲＩ造影時にハレーションを起こさないようにすることがでる。
【００２４】
前記カテーテルが、腫瘍への物質の対流増加送達に用いられるようにすれば、腫瘍が形成される領域の目的位置まで、芯材部によって補強されたカテーテルを高精度に挿通させることができ、腫瘍へ物質を効果的に送達することが可能となる。
【００２５】
前記カテーテルが、脳への物質の対流増加送達に用いられるようにすれば、脳の目的位置まで、芯材部によって補強されたカテーテルを高精度に挿通させて、脳への物質を効果的に送達することが可能となる。
【図面の簡単な説明】
【００２６】
【図１】実施形態に係る医療用器具を示す平面図である。
【図２】カテーテルにスタイレットを挿通させた際を示す平面図である。
【図３】カテーテルの先端部を示す断面図である。
【図４】図２のＡ−Ａ線に沿う断面図である。
【図５】スタイレットを示す斜視図である。
【図６】実施形態に係る医療用器具を脳実質内へ挿通させた際を示す概略図である。
【図７】実施形態に係る医療用器具を用いて治療用物質を脳実質内へ送達する際を示す概略図である。
【発明を実施するための形態】
【００２７】
以下、図面を参照して、本発明の実施の形態を説明する。なお、図面の寸法比率は、説明の都合上、誇張されて実際の比率とは異なる場合がある。
【００２８】
なお、以下の説明において、カテーテルの手元側を「基端側」、挿通される側を「先端側」と称す。また、「カテーテル」とは、医療用に使用される管体を含むものを表すものである。カテーテルの用途は治療用に限定されず、例えば検査用であってもよい。
【００２９】
本発明の実施形態に係る医療用器具１は、脳内の例えば脳腫瘍へ物質（例えば治療用物質）を送達する対流増加送達（ＣＥＤ）法に用いられる。ＣＥＤ法とは、脳実質内に定位的に留置したカテーテル１０を介して薬剤を少しずつ、能動的かつ持続的に加圧しながら注入することで、圧勾配を維持し、対流を発生させ、これにより生じる流れを利用して組織間隙に広範で高濃度に治療用物質を分布させる局所化学療法である。
【００３０】
医療用器具１は、図１〜５に示すように、脳実質内に挿通されて治療用物質を送達させるための管状のカテーテル１０と、カテーテル１０内に挿通可能なスタイレット２０と、カテーテル１０の先端部に装着されるフィルター３０と、を有している。
【００３１】
カテーテル１０は、長尺に形成されて内部に複数のルーメンが形成される管状部４０と、管状部４０の基端に固着された送達用ハブ部５０とを有している。
【００３２】
管状部４０の内部には、カテーテル１０の治療用物質を送達させための貫通孔である送達ルーメン４１と、先端側が閉鎖されて基端側のみが開口する先端閉鎖ルーメン４２とが形成されている。送達ルーメン４１は、管状部４０の最先端面４５（図３を参照）に形成される先端側開口部４３で開口するとともに、送達用ハブ部５０の基端側の面に形成される第１基端側開口部５３で開口している。先端閉鎖ルーメン４２は、管状部４０の軸方向の途中に形成される第２基端側開口部４４で開口するとともに、管状部４０の最先端近傍まで延在し、先端側が外部へ解放されずに閉鎖されている。管状部４０における第２基端側開口部４４の位置は、カテーテル１０を脳実質内に挿通させた際に、体外に位置しつつ、生体から離れすぎない位置であることが好ましい。
【００３３】
管状部４０は、図１〜４に示すように、フィルター３０が装着される管状先端部４６と、管状先端部４６よりも外径が大きい管状基端部４７と、管状先端部４６および管状基端部４７の間に外径が先端側へ向かって漸次的に減少するテーパー部４８とを有する。管状基端部４７は、その軸方向の途中に第２基端側開口部４４が形成されており、第２基端側開口部４４よりも先端側の領域に、送達ルーメン４１および先端閉鎖ルーメン４２の両方が形成されている。
【００３４】
管状先端部４６の外径は、好ましくは０．３〜１．５ｍｍであるが、これに限定されない。管状基端部４７の外径は、好ましくは０．５〜２．０ｍｍであるが、これに限定されない。管状先端部４６および管状基端部４７の外径は、小さいほど外面に沿う逆流を抑制できるとともに脳実質の損傷を低減できるが、上記範囲未満になると治療用物質の送達量が少量に限定される。
【００３５】
管状先端部４６の長さは、好ましくは１〜１０ｍｍであるが、これに限定されない。管状基端部４７の長さは、好ましくは４０〜２００ｍｍであるが、これに限定されない。テーパー部の長さは、管状先端部４６の外径、管状基端部４７の外径、およびテーパー部４８の傾斜角度αにより決定される。
【００３６】
テーパー部４８は、カテーテル１０の外面に沿う治療用物質の逆流を抑制する機能を発揮する。テーパー部４８の外径は、カテーテル１０の中心軸Ｘに対して好ましくは２°〜６０°、より好ましくは、２°〜４５°の角度αで漸次的に減少することにより形成される。テーパー部４８の角度αが６０°を超えると、脳実質の損傷が大きくなり、テーパー部４８の角度αが２°未満になると、テーパー部４８における逆流の効果が減少する可能性がある。
【００３７】
カテーテル１０は、可撓性を有する材料により構成され、例えばポリウレタンエラストマー、ポリアミドエラストマー、ポリエステルエラストマー、ポリ塩化ビニル、シリコーンエラストマー等を好適に適用できるが、これらに限定されない。
【００３８】
送達用ハブ部５０は、管状部４０の基端に連結されており、外部から治療用物質を送達ルーメン４１へ供給するためのシリンジ６０から延びる送液チューブ７０を接続可能となっている。
【００３９】
送液チューブ７０は、治療用物質を注入するためのシリンジ６０の筒先６１を挿嵌可能となっている。なお、送液チューブ７０のシリンジ６０が接続される基端部に、逆止弁や三方活栓等が設けられてもよい。シリンジ６０は、微量注入ポンプ６５（図６を参照）に取り付けられて、予め設定された注入量および注入速度で治療用物質を送り出すことができる。
【００４０】
フィルター３０は、図３に示すように、送達ルーメン４１の先端側開口部４３に嵌合して装着されている。フィルター３０は、カテーテル１０を脳実質に挿通させる際に、生体組織が送達ルーメン４１内に侵入することによる送達ルーメン４１の目詰まりを抑制するとともに、シリンジ６０から送られた治療用物質を通過させる。フィルター３０は、管状部４０の最先端面４５から先端方向へ０．５〜２ｍｍ突出しており、先端が、カテーテル１０の中心軸Ｘを中心として回転対称形状となっている。また、フィルター３０の最先端面４５から突出している部位は、その外径が先端側開口部４３の内径よりも大きく形成されており、最先端面４５を覆っている。
【００４１】
フィルター３０は、例えば、多孔体（例えば、スポンジ等）、不織布、織布、ファイバーニブ等により形成される。フィルター３０の材料は、ＭＲＩ（ｍａｇｎｅｔｉｃ  ｒｅｓｏｎａｎｃｅ  ｉｍａｇｉｎｇ、磁気共鳴画像）造影時にハレーションを起こしにくい非磁性体（強磁性体ではない材料）であることが好ましく、例えば、樹脂やセラミック等が挙げられるが、これらに限定されない。また、フィルター３０は、管状部４０と一体的に形成されて、管状部４０に微細な孔を複数形成することで構成されてもよい。フィルター３０は、フィルター３０が設けられない場合よりも効果があるのであれば、孔の径や形状等の構成は特に限定されない。但し、フィルター３０に設けられる孔は、例えば生体組織の細胞の大きさよりも小さくすることで、生体組織の侵入をより効果的に抑制でき、ヒトの生体組織の細胞の大きさが約６〜２５μｍ程度であることから、フィルター３０の平均孔径は、０．２〜２０μｍが好ましく、より好ましくは１〜１０μｍであり、さらに好ましくは１〜５μｍである。
【００４２】
スタイレット２０は、カテーテル１０の管状部４０を脳実質内へ挿通させる際に、図２，４に示すように、第２基端側開口部４４から先端閉鎖ルーメン４２に挿通されることで、可撓性を有する管状部４０に剛性を付与する芯材として機能する。スタイレット２０は、先端閉鎖ルーメン４２に挿通される長尺なスタイレット本体部２１（芯材部）と、スタイレット本体部２１の基端に固着されたスタイレットハブ部２２（芯材用ハブ部）とを有している。
【００４３】
スタイレット本体部２１は、直線状に延び中実構造を有する。スタイレット本体部２１は、ＭＲＩ造影時にハレーションを起こしにくい非磁性体（強磁性体ではない材料）で形成されることが好ましく、例えば、チタン、セラミック、炭素繊維強化プラスチック（ＣＦＲＰ）、Ｃｏ系合金、非磁性ステンレス鋼等で形成されることが好ましいが、これらに限定されない。
【００４４】
スタイレットハブ部２２は、図５に示すように、スタイレット本体部２１の基端部が固着されている。スタイレットハブ部２２は、スタイレット本体部２１をカテーテル１０の先端閉鎖ルーメン４２の最先端（最奥）まで挿通させた際に、管状部４０の第２基端側開口部４４が形成される部位が嵌合するように延びる溝部２３が形成されている。スタイレットハブ部２２は、スタイレット本体部２１をカテーテル１０に挿通させる際、およびカテーテル１０から抜去する際に、操作者が把持する部位として機能する。なお、本実施形態では、スタイレットハブ部２２はスタイレット本体部２１と別体として形成されているが、一体で形成されてもよい。
【００４５】
治療用物質としては、例えば抗癌剤、より具体的には、ニムスチン、ラニムスチン、テモゾロミド等のアルキル化剤、シスプラチン、オキサリプラチン、ダハプラチン等の白金製剤、スルファジン、メソトレキセート、フルオロウラシル、フルトシン、アザチオプリン、ペントスタチン等の代謝拮抗剤、イリノテカン、ドキソルビシン、レボフロキサシン等のトポイソメラーゼ阻害薬、パクリタキセル、ドタキセル等の微小管脱重合阻害薬、ドキソルビシン、エピルビシン、ブレオマイシン等の抗腫瘍性抗生物質、イマチニブ、ゲフィニチブ、スニチニブ、セツキシマブ、トラツズマブ等の分子標的薬等が挙げられるが、これらに限定されない。
【００４６】
次に、本実施形態に係る医療用器具１の作用を説明する。
【００４７】
始めに、スタイレットハブ部２２を把持し、スタイレット本体部２１を第２基端側開口部４４より先端閉鎖ルーメン４２に挿通させ、スタイレットハブ部２２の溝部２３に、管状部４０を位置させる。図２に示すように、スタイレット本体部２１の先端部が、先端閉鎖ルーメン４２の最先端に到達する。次に、シリンジ６０に接続された送液チューブ７０を、送達用ハブ部５０に接続する。なお、送達用ハブ部５０に逆止弁や三方活栓等が設けられるのであれば、カテーテル１０を生体組織内に留置した後に、送液チューブ７０を送達用ハブ部５０に接続してもよい。送液チューブ７０に逆止弁や三方活栓等が設けられるのであれば、送液チューブ７０を送達用ハブ部５０に接続し、カテーテル１０を生体組織内に留置した後に、シリンジ６０を送液チューブ７０に接続してもよい。
【００４８】
次に、図６に示すように、スタイレット２０が挿通された状態のカテーテル１０を把持し、脳実質内における脳腫瘍へ、若しくは脳腫瘍の近傍へ管状部４０の先端が到達するまで、カテーテル１０を脳実質内に挿通させる。このとき、カテーテル１０の管状部４０にスタイレット本体部２１が挿通されているため、柔軟で細い管状部４０に剛性が付与されて曲がりにくくなり、目的の位置まで高精度にカテーテル１０を到達させることができる。また、先端閉鎖ルーメン４２が送達ルーメン４１よりも短く、先端閉鎖ルーメン４２に挿通されるスタイレット本体部２１も、それに応じて短くなっているため、スタイレット本体部２１をより高精度に制御でき、カテーテル１０を目的の位置までより高精度に到達させることができる。また、送達ルーメン４１の先端側開口部４３にフィルター３０が設けられているため、カテーテル１０を脳実質に挿通させる際に、脳実質が送達ルーメン４１内に侵入することを抑制でき、生体組織への負荷を極力抑えることができるとともに、送達ルーメン４１を介しての治療用物質の送達を良好に維持できる。また、フィルター３０の先端が、カテーテル１０の中心軸を中心として回転対称形状となっているため、生体組織の損傷をより低減させることができ、かつ生体組織内へ管状部４０をよりまっすぐ挿通させることができる。また、フィルター３０の先端側開口部４３から突出している部位は、その外径が先端側開口部４３の内径よりも大きく形成されており、管状部４０の最先端面４５と接しているため、カテーテル１０を脳実質へ挿通させる際に、最先端面４５による生体組織の損傷を抑えることができるとともに、生体組織から力を受けるフィルター３０が管状部４０により保持され、フィルター３０が管状部４０から外れることを抑制できる。
【００４９】
次に、図７に示すように、スタイレットハブ部２２を把持して、管状部４０を生体内（脳実質内）に残したまま、スタイレット本体部２１を先端閉鎖ルーメン４２から引き抜く。これにより、カテーテル１０の管状部４０が生体の運動に対応して柔軟に変形可能となり、長時間の使用における生体組織への負荷を極力減らすことができる。そして、先端閉鎖ルーメン４２の先端側が閉鎖されているため、先端閉鎖ルーメン４２を介しての生体内への空気の混入を防止できるとともに、先端閉鎖ルーメン４２からスタイレットハブ部２２を抜去しても、生体の組織液が先端閉鎖ルーメン４２内へ流入せず、生体組織への負荷を極力抑えることができる。
【００５０】
次に、微量注入ポンプ６５により、シリンジ６０から送達ルーメン４１へ治療用物質を供給する。これにより、送達ルーメン４１を通してカテーテル１０の先端側開口部４３から、治療用物質を所定の注入量および注入速度で放出し、脳腫瘍へ直接的かつ持続的に投与・送達する。カテーテル１０から脳実質内へ送達された治療用物質は、圧勾配が維持されて脳質間へ効果的に誘導されて拡散される。そして、管状部４０にテーパー部４８が設けられることで、管状部４０の外周面に沿う治療用物質の逆流を抑制できる。治療用物質の逆流を抑制することで、逆流を主な原因とする脳表、脳溝、摘出腔などへの治療用物質の漏出を防止できるため、治療用物質の分布効率の低下や、不必要な部位への投薬による副作用、脳組織の損傷、感染症等の合併症が発生する可能性を低減させ、より正確で安全かつ効果的なＣＥＤ法の実現に寄与できる。
【００５１】
治療用物質の投与が完了した後には、シリンジ６０による治療用物質の供給を停止し、カテーテル１０を脳実質内から抜去して、治療が完了する。
【００５２】
以上のように、本実施形態に係る医療用器具１は、生体管腔（血管、脈管、尿管等）ではない非管腔領域へ挿通させて治療用物質（物質）を生体組織内へ送達するものであり、治療用物質を生体組織内へ送達するための送達ルーメン４１および先端側が閉鎖された先端閉鎖ルーメン４２が形成されたカテーテル１０と、先端閉鎖ルーメン４２の基端側から挿通可能な長尺なスタイレット本体部２１（芯材部）と、を有し、先端閉鎖ルーメン４２の第２基端側開口部４４が、送達ルーメン４１の第１基端側開口部５３よりも先端側に位置している。このため、先端閉鎖ルーメン４２へスタイレット本体部２１を挿通することでカテーテル１０に剛性を付与して生体組織へ挿通でき、カテーテル１０を目的部位へ高精度に到達させることが可能となる。また、送達ルーメン４１の第１基端側開口部５３が形成される送達用ハブ部５０に、送達ルーメン４１および先端閉鎖ルーメン４２を分離するための構造を設ける必要がなく、構造を簡略化できる。
【００５３】
また、スタイレット２０を先端閉鎖ルーメン４２から抜去した後、先端閉鎖ルーメン４２内の空気によるＭＲＩ画像のハレーションを抑制するために、先端閉鎖ルーメン４２内に生理食塩水等を注入する場合がある。この際、別のカテーテルや注射針を第２基端側開口部４４より先端閉鎖ルーメン４２に差し込んで、生理食塩水等を注入する必要がある。このとき、本実施形態に係る医療用器具１は、先端閉鎖ルーメン４２の第２基端側開口部４４が、送達ルーメン４１の第１基端側開口部５３よりも先端側に位置しているため、第２基端側開口部４４が、第１基端側開口部５３の近傍に位置する場合と比較して、先端閉鎖ルーメン４２が短くなる。このため、注入する生理食塩水等の量が少量で済み、より簡便な操作で注入を行うことができる。また、先端閉鎖ルーメン４２が短くなることで、生理食塩水等を注入する際に、針が必要以上に長くない汎用の注射針を適用でき、構成が簡易となるとともに、操作性が向上する。なお、汎用の注射針を用いる際には、針の鋭利な先端部を丸めることが好ましい。
【００５４】
また、先端閉鎖ルーメン４２は、先端が閉鎖されているため、先端閉鎖ルーメン４２を介しての生体内への空気の混入を防止でき、かつ先端閉鎖ルーメン４２からスタイレット本体部２１を抜去しても、生体の組織液が先端閉鎖ルーメン４２内へ流入せず、生体組織への負荷を極力抑えることができる。
【００５５】
また、スタイレット本体部２１（芯材部）の基端部が、先端閉鎖ルーメン４２の先端側まで挿通された状態において、送達ルーメン４１の第１基端側開口部５３よりも先端側に位置するため、スタイレット本体部２１が送達ルーメン４１の基端部まで延びることなく極力短くでき、スタイレット本体部２１の構成を簡略化し、かつスタイレット本体部２１をより高精度に制御して、カテーテル１０を目的の位置までより高精度に到達させることができる。
【００５６】
また、送達ルーメン４１の先端側開口部４３に、フィルター３０が設けられるため、カテーテル１０を脳実質に挿通させる際に、生体組織が送達ルーメン４１内に侵入することを抑制でき、生体組織への負荷を極力抑えることができるとともに、送達ルーメン４１を介しての治療用物質の送達を良好に維持できる。
【００５７】
また、フィルター３０が、カテーテル１０の先端（送達ルーメン４１の先端側開口部４３）から先端方向へ０．５〜２ｍｍ突出するように設けられるため、治療用物質を先端側開口部４３から直接的に放出する場合と比較して、フィルター３０を通った治療用物質を、フィルター３０から放射方向へ極力ばらつきを抑えつつ均等に放出することができる。
【００５８】
また、フィルター３０の先端部は、カテーテル１０の中心軸Ｘを中心とする回転対称形状であるため、カテーテル１０を脳実質へ挿通させる際に生体組織の損傷を低減させることができ、かつ生体組織内にカテーテル１０をよりまっすぐ挿通させることができる。さらに、フィルター３０を通った治療用物質を、フィルター３０から放射方向へ均等に放出することができる。
【００５９】
そして、フィルター３０が、樹脂製またはセラミック製である場合、フィルター３０によるハレーションを生じさせずにＭＲＩによる撮像を行うことができる。
【００６０】
また、カテーテル１０は、管状先端部４６の外径が、送達ルーメン４１および先端閉鎖ルーメン４２の両方が形成される部位（管状基端部４７の先端側の部位）の外径よりも小さいため、カテーテル１０から治療用物質を送達する際に、外径が変化する部位によって、治療用物質のカテーテル１０の外面に沿う逆流を抑制できる。
【００６１】
また、カテーテル１０の管状先端部４６と、送達ルーメン４１および先端閉鎖ルーメン４２の両方が形成される部位（管状基端部４７の先端側の部位）との間に、外径が先端側へ向かって漸次的に減少するテーパー部４８を有するため、生体組織の損傷を極力抑えつつ押し広げるようにカテーテル１０を挿通させることが可能となるとともに、カテーテル１０から治療用物質を送達する際に、テーパー部４８によって、治療用物質のカテーテル１０の外面に沿う逆流を抑制できる。
【００６２】
また、スタイレット本体部２１（芯材部）の基端にスタイレットハブ部２２（芯材用ハブ部）が設けられ、スタイレットハブ部２２が、送達ルーメン４１の第１基端側開口部５３が形成される送達用ハブ部５０に連結せずに当該送達用ハブ部５０から独立した構造を有するため、スタイレットハブ部２２および送達用ハブ部５０を互いに干渉させずに操作でき、操作性が向上する。また、スタイレットハブ部２２および送達用ハブ部５０が、互いに連結されないため、連結のための構造が不要となり、構造を極力簡略化できる。
【００６３】
また、スタイレット本体部２１（芯材部）が、非磁性体で形成される場合、ＭＲＩ造影時にハレーションを起こさないようにすることがでる。
【００６４】
また、カテーテル１０が、腫瘍への治療用物質（物質）の対流増加送達に用いられるため、腫瘍が形成される領域の目的位置まで、スタイレット２０によって補強されたカテーテル１０を高精度に挿通させることができるとともに、腫瘍へ治療用物質を効果的に送達することが可能となる。
【００６５】
また、カテーテル１０が、脳への治療用物質（物質）の対流増加送達に用いられるため、脳の目的位置まで、スタイレット２０によって補強されたカテーテル１０を高精度に挿通させることができるとともに、脳への治療用物質を効果的に送達することが可能となる。
【００６６】
なお、本発明は、上述した実施形態のみに限定されるものではなく、本発明の技術的思想内において当業者により種々変更が可能である。例えば、カテーテルの管状部が、外径が先端側へ向かって漸次的に減少するテーパー部を複数有してもよい。テーパー部が複数設けられることで、カテーテルの外面に沿う治療用物質の逆流を効果的に抑制するとともに、テーパー部によって生体組織を押し広げながらカテーテルを生体組織に挿通させることで、生体組織の損傷を極力抑えることができる。また、テーパー部ではなしに、外径がカテーテルの中心軸Ｘと直角方向に減少する段部が１つもしくは複数設けられてもよい。または、管状部に、テーパー部や段部が設けられなくてもよい。
【００６７】
また、本実施形態に係る医療用器具１は、脳腫瘍へ治療用物質を送達しているが、送達する部位は、腫瘍に限定されず、また、例えば肝臓、膵臓、胆のう、乳房、子宮、大腸等の脳以外の生体組織であってもよい。医療用器具１は、生体管腔（血管、脈管、尿管等）ではない種々の非管腔領域へ挿通させて、治療用物質を非管腔領域の生体組織内へ送達することができる。
【符号の説明】
【００６８】
１    医療用器具、
１０    カテーテル、
２０    スタイレット、
２１    スタイレット本体部（芯材部）、
２２    スタイレットハブ部（芯材用ハブ部）、
３０    フィルター、
４１    送達ルーメン、
４２    先端閉鎖ルーメン、
４３    先端側開口部、
４４    第２基端側開口部、
４８    テーパー部、
５０    送達用ハブ部、
５３    第１基端側開口部。
【図１】
2015015988.tif 000003
【図２】
2015015988.tif 000004
【図３】
2015015988.tif 000005
【図４】
2015015988.tif 000006
【図５】
2015015988.tif 000007
【図６】
2015015988.tif 000008
【図７】
2015015988.tif 000009